(57)【要約】【課題】新聞等古紙、雑誌類等を積み重ねた状態で十文字に結束する場合、積み重ねた新聞紙等古紙、雑誌類等を回転させたり、ひっくり返したりする必要があった。この作業をより、簡単に行うことができる補助用具は、従来よりあったが、本発明は、結束作業がよりスムーズに行える十文字結束棚を提供する。【解決手段】土台部と、支点部と、支点部を中心に回転する機能を持つ積載部と、結束用の紐を収納できる紐ケース部と、柱部と、リンク部からなる十文字結束棚を提供する。上記十文字結束棚の、上記積載部に、新聞紙等古紙、雑誌類等を適量積載し、上記紐ケース部より結束用紐を十文字に結束できる程度引き出し、新聞紙等古紙、雑誌類等を十文字に結束する。次に、上記新聞紙等古紙、雑誌類等を、積載部から引き抜く。本発明である、十文字結束棚を使用することにより、従来の結束補助用具よりも簡単に十文字に結束することができる。【選択図】図５
2008100753.tif 000002
【特許請求の範囲】
【請求項１】
土台部と、支点部と、上記支点部を中心に回転する機能を持つ積載部と、結束用の紐を収
納できる紐ケース部と、柱部と、柱部と支点部をつなぐリンク部からなる十文字結束棚で
あって、上記積載部は当発明を使用して、新聞紙等古紙、雑誌類等を十文字に結束した際、結束したまま新聞紙等古紙、雑誌類等だけを、引き抜くことができる形状であり、上記紐ケース部は、結束用紐を収納、取替えができ、結束用紐を引き出すための穴を有しており、上記支点部は、十文字に結束した新聞紙等古紙、雑誌類等を引き抜く際に積載部を回転させる、十文字結束棚。
【発明の詳細な説明】
【技術分野】
【０００１】
本発明は、新聞等古紙、雑誌類等を積み重ねた状態で十文字に結束するための、補助具
に関する。
【背景技術】
【０００２】
従来、紐などを使い、新聞紙等古紙、雑誌類等を積み重ねた状態で、十文字に結束する
ための補助用具等が開発されているが、代表的なものとして、登録実用新案第３１０００
３８号がある。
【０００３】
これは、新聞（古新聞）や雑誌（古雑誌）を載置した載置台が回動台に連動して回動す
ることにより、結束作業者が動き回ることなく、結束用具を回動させてスムーズに結束作
業ができる新聞、雑誌類等の結束用具である。
【特許文献１】登録実用新案第３１０００３８号公報
【発明の開示】
【発明が解決しようとする課題】
【０００４】
しかしながら、このような開口部とスリットを用いた結束用具は、結束用具を回しなが
ら、開口部に結束するための紐を通さなくてはならず、スムーズに結束作業が行えるとは
言えなかった。
【０００５】
そこで本発明が解決しようとする課題は、開口部に結束するための紐を通す必要がなく
、結束作業者が動きまわったり、結束用具を回す必要もない、より簡単に結束作業を行う
ことができる結束棚と結束手順を提供することにある。
【課題を解決するための手段】
【０００６】
上記課題を解決するために本発明は、土台部と、支点部と、上記支点部を中心に回転する
機能を持つ積載部と、結束用の紐を収納できる紐ケース部と、柱部と、柱部と支点部をつ
なぐリンク部からなる十文字結束棚であって、上記積載部は当発明を使用して、新聞紙等
古紙、雑誌類等を十文字に結束した際、そのまま新聞紙等古紙、雑誌類等だけを、引き抜
くことができる形状であり、上記紐ケース部は、結束用紐を収納、取替えができ、結束用
紐を引き出すための穴を有しており、上記支点部は、十文字に結束した新聞紙等古紙、雑
誌類等を引き抜く際に、上記積載部を回転させる、十文字結束棚。上記記載のような特徴
を持つ十文字結束棚を提供する。
【発明の効果】
【０００７】
以上のように、本発明である十文字結束棚を使用し、新聞紙等古紙、雑誌類等を積み重ね
た状態で十文字に結束する場合、新聞紙等古紙、雑誌類等を、結束用紐を取り回すために
、ひっくり返したり、作業者が周りを動き回ることなく、スムーズに結束作業ができる。
また、紐ケース部に結束用紐を備えていることで、結束用紐を用意する必要がないため、
結束作業をよりスムーズに行うことができる。結束用紐は、入れ替えできる構造で、結束
したいものによって紐を変えることができる。積載部には、支点部を設け、積載部が回転
できる構造にしてある為、新聞等古紙、雑誌類等を十文字結束した後、積載部から引き抜
く際、積載部が回転してスムーズに引き抜き作業ができる。積載部は、当発明を使用して
、十文字に結束した場合にできる図１２のＡからＢ間を積載部が通れば良いため、いろい
ろな形状にすることができ、従来構造のものに比べ、デザイン性に優れている。
【発明を実施するための最良の形態】
【０００８】
以下、本発明について付属図面に基づきに説明する。まず、図３のように積載部に新聞
紙等古紙、もしくは雑誌類等を、適量積み重ねたものを積載し、紐ケース部から結束用紐
を適量引き出す。次に図４に示すように、上記積載部の下部を通し、上記新聞紙等古紙、
もしくは雑誌類等を積み重ねたものを一周巻き、上記結束用紐の先端を交差する。次に、
交差した上記結束用紐の先端を、図５に示すように上記積載部の下部を通して、上記新聞
紙等古紙、もしくは雑誌類等を積み重ねたもを一周巻き、図６に示すように、上記結束用
紐を結束できる適当な長さを残して、はさみ等で切る。結束用紐の取り回し順序は、新聞
紙等古紙、もしくは雑誌類等を積み重ねたものを十文字に結束できれば、どのような順序
でもよい。次に図７に示すように上記結束用紐の両端を結束する。十文字に結束した古新
聞紙等古紙、雑誌類等を上記積載部から引き抜く。この時、図８に示すように上記積載部
は、支点を中心に回転を始めている。さらに引き抜き、図９に示すように、上記新聞紙等
古紙、もしくは雑誌類等を積み重ねたものと、上記積載部が完全に離れたら、作業終了で
ある。本発明は以上の実施形態に限らず、種々の形態にて実施してよく、積載部について
は、新聞紙等古紙、もしくは雑誌類等を十文字に結束した際に、結束用紐でできる４つの
四角形の対角線の部分、図１２で示すＡからＢ間を積載棚が通ることが条件のため、いろ
いろな形状とすることができる。その一例として図１５のハート型と、図１６の三日月型
をあげる。図１５、図１６は、新聞紙等古紙、雑誌類等を積載部に積載し、十文字に結束
が完了した状態を、積載部の真下から見た図である。
【図面の簡単な説明】
【０００９】
【図１】本発明の各部の説明の為に引き出し線をつけた斜視図
【図２】本発明の積載部を下部から見た図で、各部の説明の為に、引き出し線をつけた図
【図３】本発明の使用方法の第一段階を示す図
【図４】本発明の使用方法の第二段階を示す図
【図５】本発明の使用方法の第三段階を示す図
【図６】本発明の使用方法の第四段階を示す図
【図７】本発明の使用方法の第五段階を示す図
【図８】本発明の使用方法の第六段階を示す図
【図９】本発明の使用方法の第七段階を示す図
【図１０】本発明の使用方法の第二段階を積載部の真下から見た図
【図１１】本発明の使用方法の第五段階を積載部の真下から見た図
【図１２】本発明の使用方法の第六段階を積載部の真下から見た図
【図１３】本発明の使用方法の第七段階を積載部の真下から見た図
【図１４】紐ケース部を表した図
【図１５】ハート型積載部
【図１６】三日月型積載部
【符号の説明】
【００１０】
１  土台部
２  積載部
３  柱部
４  結束用紐
５  紐ケース部
６  支点部
７  リンク部 
８  新聞紙等古紙、雑誌類等
９  結束用紐を引き出す為の穴
【図１】
2008100753.tif 000003
【図２】
2008100753.tif 000004
【図３】
2008100753.tif 000005
【図４】
2008100753.tif 000006
【図５】
2008100753.tif 000007
【図６】
2008100753.tif 000008
【図７】
2008100753.tif 000009
【図８】
2008100753.tif 000010
【図９】
2008100753.tif 000011
【図１０】
2008100753.tif 000012
【図１１】
2008100753.tif 000013
【図１２】
2008100753.tif 000014
【図１３】
2008100753.tif 000015
【図１４】
2008100753.tif 000016
【図１５】
2008100753.tif 000017
【図１６】
2008100753.tif 000018